(57)【要約】      （修正有）【課題】金枠から出張る鋳型砂量を鋳物砂粒径の０．２ｍｍ以下にすることができるサンドカッターを提供することを目的とする。【解決手段】  金枠付砂鋳型の定盤に載置させる面及び上鋳型の重り載せ面を平滑にカットするサンドカッターであって、刃物と平行な軸を中心として回転可能な刃物台と、金枠見切り面に接し刃物の高さ位置を調整する調整ローラと、砂面をカット中の刃物の姿勢を維持するための姿勢維持手段とを具備したことを特徴とするサンドカッター。【選択図】図４
2005131681.tif 000002
【特許請求の範囲】
【請求項１】
金枠付砂鋳型の定盤に載置させる面及び上鋳型の重り載せ面を平滑にカットするサンドカッターであって、
刃物と平行な軸を中心として回転可能な刃物台と、
金枠見切り面に接し刃物の高さ位置を調整する調整ローラと、
砂面をカット中の刃物の姿勢を維持するための姿勢維持手段とを具備したことを特徴とするサンドカッター。
【請求項２】
前記刃物台及び調整ローラ及び姿勢維持手段を前記金枠付砂鋳型の搬送ローラコンベヤの下方に設けられたガイトピンホルダ上に載置し任意の駆動手段により往復移動を行うことを特徴とする請求項１記載のサンドカッター。
【請求項３】
金枠付砂鋳型の搬送ローラコンベヤの下方に、該搬送ローラコンベヤの進行方向に対し、交差する方向に往復移動可能にして２個一対のガイドピンホルダを配置し、各ガイドピンホルダの上部に、固定ブラケットを対向して配置し、各固定ブラケットの上端部に回動ブラケットの中心部をそれぞれ回転可能にしてピン連結し、前記固定ブラケットの傾斜外面に、該回動ブラケットに対応するストッパを調整可能にして突出させて設けると共に前記回動ブラケットの上端部に刃物の高さ位置を調整する調整ローラを若干突出するようにして取り付け、各回動ブラケットの傾斜上面間に、刃物を取り付けた刃物台を掛け渡し連結して設け、該刃物台下面と前記固定ブラケットとの間にスプリングを配し、該固定ブラケット側に該スプリングに対応する部材を配置したことを特徴するサンドカッター。
【発明の詳細な説明】
【技術分野】
【０００１】
本発明は、金枠付の砂鋳型の定盤に載置される面及び上鋳型への重り載せ面を平滑にカットするサンドカッターに関する。
【背景技術】
【０００２】
従来、上記のようなサンドカッターとしては、砂鋳型の進行方向に対し刃物を交差する方向に往復移動させるものが一般に知られている（例えば、特許文献１参照）。
【特許文献１】特開２００１−１５０１０１号公報（第１−３頁、図２）。
【発明の開示】
【発明が解決しようとする課題】
【０００３】
しかし、上記特許文献１に開示されたサンドカッターにおいては、刃物の摩耗を少なくすると共に交換取り付けメンテナンスを容易にすることができるが、このサンドカッターを使用する場合は、金枠面から砂鋳型の出張り量を少なくすることに限界があった。すなわち高精度鋳物を製造する上では問題のない性能を有しているが、砂鋳型の金枠からの出張り量を鋳物砂粒径の０．２ｍｍ以下にしようとすると金枠加工時寸法公差によるサンドカット面のレベル変動に追従できない。また金枠を搬送するコンベヤのローラ、及び金枠のローラ走行面の摩耗によるサンドカット面のレベル変動に追従できない問題があった。
【０００４】
本発明は、上記の問題に鑑みて成されたもので、金枠から出張る鋳型砂量を鋳物砂粒径の０．２ｍｍ以下にすることができるサンドカッターを提供することを目的とする。
【課題を解決するための手段】
【０００５】
上記の目的を達成するために、本発明におけるサンドカッターは、刃物と平行な軸を中心として回転可能な刃物台と、金枠見切り面に接し刃物の高さ位置を調整する調整ローラと、砂面をカット中の刃物の姿勢を維持するための姿勢維持手段とを具備したことを特徴とする。
また、前記刃物台及び調整ローラ及び姿勢維持手段を前記金枠付砂鋳型の搬送ローラコンベヤの下方に設けられたガイトピンホルダ上に載置し任意の駆動手段により往復移動を行うことを特徴とする。
【０００６】
さらに、金枠付砂鋳型の搬送ローラコンベヤの下方に、該搬送ローラコンベヤの進行方向に対し、交差する方向に往復移動可能にして２個一対のガイドピンホルダを配置し、各ガイドピンホルダの上部に、固定ブラケットを対向して配置し、各固定ブラケットの上端部に回動ブラケットの中心部をそれぞれ回転可能にしてピン連結し、前記固定ブラケットの傾斜外面に、該回動ブラケットに対応するストッパを調整可能にして突出させて設けると共に前記回動ブラケットの上端部に刃物の高さ位置を調整する調整ローラを若干突出するようにして取り付け、各回動ブラケットの傾斜上面間に、刃物を取り付けた刃物台を掛け渡し連結して設け、該刃物台下面と前記固定ブラケットとの間にスプリングを配し、該固定ブラケット側に該スプリングに対応する部材を配置したことを特徴する。
【発明の効果】
【０００７】
本発明は、レベル調整用の調整ローラと、回動制御用のストッパー、並びに刃物の押し下げを規制するスプリングとの組み合わせにより刃物をできる限り基準レベルに近づけてサンドカットすることができるようになる。すなわち金枠加工時の寸法公差によるサンドカット面のレベル変動及びコンベヤのローラ、金枠におけるローラ走行面の摩耗によるサンドカット面のレベル変動に追従しながらサンドカットができるようになる。
【発明を実施するための最良の形態】
【０００８】
以下、本発明の実施の形態を図面に基づいて詳しく説明する。図１、図２及び図３においてフレーム１、１に吊り下げられた中抜き搬送ローラコンベヤ２、２が設けられ、該中抜き搬送ローラコンベヤ２、２のローラ３、３上には、金枠付砂鋳型Ｍが載置されている。該砂鋳型Ｍは、金枠４のローラ走行面をローラ３、３に接触させると共に金枠４の下面から鋳型の砂かき面はみ出させた状態にされている。
【０００９】
前記中抜き搬送ローラコンベヤ２、２の下方には、フレーム５を介して２本のガイドピン６、６が砂鋳型Ｍの進行方向に対し交差させて並行に固定支持されている。該２本のガイドピン６、６にはガイドピンダホルダ７、７を摺動可能にして嵌合されて連結板８を介して一体的に連結されると共に油圧シリンダ９に連結されていて、油圧シリンダ９の作動により連結板８を介してガイドピンホルダ７、７が砂鋳型の進行方向に対し交差する方向に往復移動される様に構成されている。
本実施例では、油圧シリンダを使用しているが、空圧又は電動シリンダでもよい。
【００１０】
図４、図５及び図６において、さらに各ガイドピンホルダ７、７の上部には、固定ブラケット１０、１０をそれぞれ対向させて配置固定し、各固定ブラケット１０、１０の上端部に回動ブラケット１１、１１の中心部をそれぞれ回転可能にしてピン１２、１２にて連結し、前記固定ブラケット１０、１０の傾斜外面に、該回動ブラケット１１、１１に対応するストッパボルト１３、１３を調整可能にして突出取り付けされている。
【００１１】
前記回動ブラケット１１、１１の上端部に刃物の高さを調整する調整ローラ１４、１４を若干突出させて取り付け、該回動ブラケット１１、１１の傾斜された上面間に刃物１５を取り付ける刃物台１６を掛け渡し連結する。
また、該刃物台１６下面と各固定ブラケット１０、１０との間にスプリング１７、１７を配置し、該固定ブラケット１０、１０側に該スプリング１７、１７に対応するダブルナットを設け、カット中の刃物の姿勢を維持するための姿勢維持手段Ｅとする。
【００１２】
つぎに作動について説明する。図１、図２の状態で油圧シリンダ９が作動してガイドピンホルダ７、７が、ガイドピン６、６に沿って移動され、刃物台１６に取り付けられた刃物１５を往復移動させ、金枠４の下面からのはみ出し砂鋳型部分をサンドカットする。この場合、図４に示すように基準レベルに対し、刃物１５と調整ローラ１４、１４のレベルが一致するようにスペーサー１８、１８にて調整の上刃物台１６をガイドピンホルダ７、７に取り付けてある。
【００１３】
また基準レベルは金枠４の見切り面レベルの設計寸法とする。前記ダブルナットの位置を調整することによりスプリング１７、１７の押し付け力を調整でき、ストッパボルト１３、１３にて刃物１５の基準レベルの微調整ができる。
【００１４】
さらに調整ローラ１４、１４上端と刃物１５先端を限りなく近づけることにより、金枠４の見切り面に限りなく近接したレベルでのサンドカットが可能になる。なお刃物台１６は、搬送ローラコンベヤ２、２の下部に吊り下げ、金枠４の搬送中にサンドカットする固定式のものであってもよい。
【００１５】
金枠４のローラ走行面及び搬送ローラコンベヤ２、２のローラ３、３が摩耗していない移動当初は、金枠４の見切り面レベルは、基準レべルと一致しているがこれが摩耗してきた場合は、金枠４の見切り面レベルが基準レベルより下がってくる。この状態でも刃物１５が金枠４の見切り面と干渉しないように調整ローラ１４、１４上端も刃物１５先端に対し進行方向側に少し前に出して配置されている（図４、図５参照）。
【００１６】
金枠４の見切り面レベルが基準レベルよりも下がった場合、刃物台１６が金枠４側へ前進時、まず調整ローラ１４、１４上端が金枠４の見切り面に当たり、刃物１５先端を押し下げる方向に回動ブラケット１１、１１を回転させる。スプリング１７、１７の押し上げ力およびサンドカット時の反力にて調整ローラ１４、１４上端が金枠４の見切り面に密着しながらサンドカットできる。
【図面の簡単な説明】
【００１７】
【図１】本発明の実施例を示すサンドカッターの正面図である。
【図２】図１におけるＡ−Ａ矢視である。
【図３】図１におけるＢ−Ｂ矢視図である。
【図４】刃物台部分の拡大詳細図である。
【図５】図４におけるＣ−Ｃ矢視図である。
【図６】図４におけるＤ−Ｄ矢視図である。
【符号の説明】
【００１８】
２    搬送ローラコンベヤ
４    金枠
７    ガイドピンホルダ
９    油圧シリンダ
１０  固定ブラケット
１１  回動ブラケット
１２  ピン
１３  ストッパボルト
１４  調整ローラ
１５  刃物
１６  刃物台
１７  スプリング
【図１】
2005131681.tif 000003
【図２】
2005131681.tif 000004
【図３】
2005131681.tif 000005
【図４】
2005131681.tif 000006
【図５】
2005131681.tif 000007
【図６】
2005131681.tif 000008